(57)【要約】【課題】誘引光源保護カバー及びこれを備えた照明器具において、誘引光源交換後においても誘引光源保護カバーの再利用を可能とし、外部からの衝撃による誘引光源の破損を防ぐと共に高い誘引効果を実現する。【解決手段】照明器具１は、虫のすう光曲線に近似される発光スペクトルを出射する誘引光源２、並びに、このような発光スペクトルを効率良く透過する素材により形成されたカバー部材４、カバー部材４を誘引光源２から所定間隔だけ隔てた位置に着脱自在に固定するカバー固定部材５、及び誘引光源２を密閉した状態で収納する光源収納部６を有する誘引光源保護カバー３を備える。虫のすう光曲線に近似される発光スペクトルが、効率良くカバー部材４を透過して出射されるので、高い誘引効果を実現することができ、カバー部材４は誘引光源２に所定間隔だけ隔てて着脱自在に固定されるので光源交換後も再利用可能であり、光源の破損も防ぐことができる。【選択図】図１
2006204203.tif 000002
【特許請求の範囲】
【請求項１】
虫のすう光曲線に近似される発光スペクトルを出射する誘引光源の光出射面を覆うように配置され、前記発光スペクトルを効率良く透過する素材により形成されたカバー部材と、
前記カバー部材を、前記誘引光源から所定間隔だけ隔てた位置に着脱自在に固定するカバー固定部材と、
少なくとも前記カバー部材及び前記カバー固定部材により形成され、前記誘引光源を密閉した状態で収納する光源収納部とを備えたことを特徴とする誘引光源保護カバー。
【請求項２】
請求項１に記載の誘引光源保護カバーと、
虫のすう光曲線に近似される発光スペクトルを出射する誘引光源とを備えたことを特徴とする照明器具。
【請求項３】
前記誘引光源は、直管状ランプであり、
前記カバー部材は、内径が前記直管状ランプの外径より大きくなるチューブ形状を有し、  
前記カバー固定部は、内径が前記直管状ランプの外径と略同じであって、該直管状ランプの端部に嵌合されるチューブ形状のランプ嵌合部と、内径が前記カバー部材の外径と略同じであって、前記カバー部材の端部に嵌合されて、該カバー部材を前記直管状ランプから所定間隔だけ隔てた状態で保持するチューブ形状のカバー部材嵌合部とを有し、
前記光源収納部は、前記カバー部材と、該カバー部材の両端部に取り付けられる２つの前記カバー固定部により形成されることを特徴とする請求項２に記載の照明器具。
【請求項４】
前記誘引光源により誘引される虫を捕獲又は駆除するための捕虫／殺虫部材を更に備えたことを特徴とする請求項２又は請求項３に記載の照明器具。
【発明の詳細な説明】
【技術分野】
【０００１】
本発明は、誘引光源保護カバー及びこの誘引光源保護カバーを備えた照明器具に関する。
【背景技術】
【０００２】
従来から、紫外線領域の光に反応して虫が集まる、いわゆる虫のすう光性を利用した照明器具が知られている。例えば、虫を誘引する紫外線を含む光（以下、このような光を誘引光といい、誘引光による虫を誘引する効果を誘引効果という）を出射する誘引光源が知られており、このような誘引光源を備えた照明器具が知られている。このような照明器具においては、外部からの衝撃により誘引光源が破損した場合に誘引光源を構成するガラス等の部材の飛散を防止するために、誘引光源を飛散防止フィルムで覆ったものが知られている。
【０００３】
しかしながら、このような飛散防止フィルムを使用した場合、誘引光源の交換時にフィルムを再利用することができず、ランニングコストが高くなるという問題があった。また、飛散防止フィルムが直接、誘引光源に貼られていたため、照明器具に外部から衝撃が加えられた場合に、誘引光源の破損を防ぐ効果はほとんど得られなかった。
【０００４】
ところで、２００ｎｍ〜４００ｎｍを主に放射する紫外線放射ランプを、この紫外線放射ランプの径より大きい径を有する被覆体で覆った二重構造を有する飛散防止機能を備えた紫外線放射ランプであって、紫外線放射ランプの端部をフッ素樹脂被覆体でシーリング処理し、紫外線照射ランプとフッ素樹脂被覆体の間に中空部ができるようにした紫外線放射ランプが知られている（例えば、特許文献１参照）。
【特許文献１】特開２００４−２８１３２１号公報
【発明の開示】
【発明が解決しようとする課題】
【０００５】
特許文献１に記載の紫外線放射ランプは、紫外線照射ランプとフッ素樹脂被覆体の間に中空部を設けることにより、紫外線による被覆体の劣化を防ぎ、外部からの衝撃による紫外線放射ランプの飛散を防ぐようにしているが、虫を誘引する誘引光について十分な検討が為されておらず、誘引光源の破損及び飛散を防止しつつ、高い誘引効果を得ることはできなかった。
【０００６】
本発明は、かかる点に鑑みてなされたものであり、誘引光源交換後においても誘引光源保護カバーの再利用可能であって、外部からの衝撃による誘引光源の破損を防ぐことができると共に、高い誘引効果を実現することができる誘引光源保護カバー、及びこの誘引光源保護カバーを備えた照明器具を提供することを目的とする。
【課題を解決するための手段】
【０００７】
上記目的を達成するために請求項１の発明は、虫のすう光曲線に近似される発光スペクトルを出射する誘引光源の光出射面を覆うように配置され、前記発光スペクトルを効率良く透過する素材により形成されたカバー部材と、前記カバー部材を、前記誘引光源から所定間隔だけ隔てた位置に着脱自在に固定するカバー固定部材と、少なくとも前記カバー部材及び前記カバー固定部材により形成され、前記誘引光源を密閉した状態で収納する光源収納部とを備えたことを特徴とする。
【０００８】
請求項２の発明は、請求項１に記載の誘引光源保護カバーと、虫のすう光曲線に近似される発光スペクトルを出射する誘引光源とを備えたことを特徴とする照明器具である。
【０００９】
請求項３の発明は、請求項２に記載の照明器具において、前記誘引光源は、直管状ランプであり、前記カバー部材は、内径が前記直管状ランプの外径より大きくなるチューブ形状を有し、
前記カバー固定部は、内径が前記直管状ランプの外径と略同じであって、該直管状ランプの端部に嵌合されるチューブ形状のランプ嵌合部と、内径が前記カバー部材の外径と略同じであって、前記カバー部材の端部に嵌合されて、該カバー部材を前記直管状ランプから所定間隔だけ隔てた状態で保持するチューブ形状のカバー部材嵌合部とを有し、前記光源収納部は、前記カバー部材と、該カバー部材の両端部に取り付けられる２つの前記カバー固定部により形成されることを特徴とする。
【００１０】
請求項３の発明は、請求項２又は請求項３に記載の照明器具において、前記誘引光源により誘引される虫を捕獲又は駆除するための捕虫／殺虫部材を更に備えたことを特徴とする。
【発明の効果】
【００１１】
請求項１に記載の誘引光源保護カバーよれば、カバー部材が、虫のすう光曲線に近似される発光スペクトルを効率良く透過する素材により形成されているので、このような発光スペクトルを出射する誘引光源に取り付けて用いた場合に高い誘引効果を実現することができる。また、カバー部材は、カバー固定部材により誘引光源に対して着脱自在に固定されるので、誘引光源交換後においても再利用可能となる。また、カバー部材は、誘引光源から所定間隔だけ隔てて固定され、誘引光源は、カバー部材及びカバー固定部材等により形成される光源収納部に収納されるので、カバー部材に加えられた外部からの衝撃が直接、誘引光源に加わることがなくなる。このため、誘引光源の破損を防ぐことができる。
【００１２】
請求項２に記載の照明器具よれば、虫のすう光曲線に近似される発光スペクトルを出射する誘引光源と、このような発光スペクトルを効率良く透過する素材により形成されたカバー部材とを備えるので、高い誘引効果を実現することができる。また、カバー部材は、カバー固定部材により誘引光源から所定間隔だけ隔てた位置に着脱自在に固定されるので、誘引光源交換後においても再利用可能であると共に、誘引光源の破損を防ぐことができる。
【００１３】
請求項３に記載の照明器具よれば、誘引光源として直管状ランプを使用した場合に、請求項２と同様の効果が得られる。
【００１４】
請求項４に記載の照明器具よれば、捕虫／殺虫部材を備えるので、誘引光源から出射された光により誘引された虫を、捕獲又は駆除することができる。
【発明を実施するための最良の形態】
【００１５】
以下、本発明の第１の実施形態に係る誘引光源保護カバー及び照明器具について図１乃至図４を参照して説明する。図１に示されるように、照明器具１は、虫のすう光曲線に近似される発光スペクトルを出射する誘引光源２と、この誘引光源２が収納される誘引光源保護カバー３とを備え、虫を誘引するための照明として用いられる。なお、以下において、「すう光性」とは、波長３６５ｎｍ付近の紫外線領域をピークに、２５０前後〜５５０ｎｍ前後の光に反応して集まる虫の性質をいい、このような光の特性を示す波長分布曲線を「すう光性曲線」という。
【００１６】
誘引光源保護カバー３は、誘引光源２の光出射面２ａを覆うように配置されるカバー部材４と、カバー部材４を誘引光源２から所定間隔だけ隔てた位置に着脱自在に固定するカバー固定部材５と、これらカバー部材４及びカバー固定部材５により形成される光源収納部６とを備えている。
【００１７】
誘引光源２は、虫のすう光曲線に近似される発光スペクトルを出射する誘引光源であれば特に限定されるものではなく、例えば、捕虫器用蛍光灯（ＦＬ２０Ｓ  ＢＡ−３７  Ｋ  松下電器産業株式会社製）等を用いることができる。また、カバー部材４の素材も、波長３６５ｎｍ付近の紫外線領域をピークに、２５０前後〜５５０ｎｍ前後の光を効率良く透過するものであれば良く、例えば、ＵＶ透過透明アクリル等を用いることができる。図２に、虫のすう光曲線Ｌ１と共に、捕虫器用蛍光灯（ＦＬ２０Ｓ  ＢＡ−３７  Ｋ  松下電器産業株式会社製）の発光スペクトルＬ２、及び、ＵＶ透過透明アクリルの分光透過率Ｌ３を示す。同図において、波長（ｎｍ）を横軸に、分光パワー（％）を縦軸左側に、分光透過率（％）を縦軸右側にそれぞれ示している。  
【００１８】
次に、誘引光源２として直管状ランプを使用した場合における、誘引光源保護カバー３の構成について図３及び図４に基づいて詳述する。カバー部材４は、内径Ｄ２が直管状ランプの外径Ｄ１より大きくなる、肉厚２ｍｍ程度のチューブ形状を有している。カバー固定部材５は、直管状ランプの端部２ｂに嵌合されるチューブ形状のランプ嵌合部５ａと、カバー部材４の端部に嵌合されるチューブ形状のカバー部材嵌合部５ｂとを有している。ランプ嵌合部５ａは、その内径Ｄ３が直管状ランプの外径Ｄ１と略同じになるように形成され、カバー部材嵌合部５ｂは、その内径Ｄ４がカバー部材４の外径と略同じになるように形成されている。カバー固定部材５は、シリコンゴム等の弾性を有する材料により形成され、ランプ嵌合部５ａを直管状ランプの端部２ｂに嵌合し、カバー部材嵌合部５ｂをカバー部材４の端部に嵌合することにより、カバー部材４を直管状ランプから所定間隔（例えば、１ｍｍ程度）だけ隔てた状態で保持する。光源収納部６は、カバー部材４と、カバー部材４の両端部に取り付けられた２つのカバー固定部材５により形成され、誘引光源２を密閉した状態で収納する。
【００１９】
このように本実施形態の誘引光源保護カバー３よれば、カバー部材４が、虫のすう光曲線Ｌ１に近似される発光スペクトルＬ２を効率良く透過する素材により形成されているので、このような発光スペクトルＬ２を出射する誘引光源２に取り付けて用いた場合に高い誘引効果を実現することができる。また、カバー部材４は、カバー固定部材５により誘引光源２に対して着脱自在に固定されるので、誘引光源２の交換後においても再利用可能となる。また、カバー部材４は、誘引光源２から所定間隔だけ隔てて固定され、誘引光源２はカバー部材４及びカバー固定部材５により形成された光源収納部６に収納されるので、カバー部材４に加えられた外部からの衝撃が直接、誘引光源２に加わることがなくなる。このため、誘引光源２の破損を防ぐことができる。
【００２０】
また、本実施形態の照明器具１よれば、虫のすう光曲線Ｌ１に近似される発光スペクトルＬ２を出射する誘引光源２と、このような発光スペクトルＬ２を効率良く透過する素材により形成されたカバー部材４とを備えるので、高い誘引効果を実現することができる。また、カバー部材４は、カバー固定部材５により誘引光源２から所定間隔だけ隔てた位置に着脱自在に固定されるので、誘引光源２の交換後においても再利用可能であると共に、誘引光源２の破損を防ぐことができる。
【００２１】
次に、本発明の第２の実施形態に係る誘引光源保護カバー及び照明器具について図５を参照して説明する。本実施形態の照明器具１は、誘引光源２から出射された光を所定の方向へ反射する反射板７を備え、この反射板７、カバー部材４、及びカバー固定部材５で光源収納部６が形成される点、並びに、誘引光源２により誘引される虫を捕獲又は駆除するための捕虫／殺虫部材８を備える点で第１の実施形態と異なる。
【００２２】
照明器具１は、虫のすう光曲線Ｌ１に近似される発光スペクトルＬ２（図２参照）を出射する直管状の誘引光源２と、この誘引光源２が収納される誘引光源保護カバー３とを備えている。誘引光源保護カバー３は、虫のすう光曲線に近似される発光スペクトルを効率良く透過する素材により形成され、誘引光源２の光出射面２ａを覆うように誘引光源２の前面に配置される肉厚２ｍｍ程度の板状のカバー部材４と、カバー部材４を誘引光源２から所定間隔だけ隔てた位置に着脱自在に固定するカバー固定部材５と、反射板７と、ステンレス製の筐体１０とを備えており、誘引光源２を密閉した状態で収納する光源収納部６が反射板７、カバー部材４、及びカバー固定部材５により形成されている。なお、カバー部材４及びカバー固定部材５の素材には第１の実施形態と同様の素材を用いることができる。
【００２３】
また、照明器具１は誘引光源により誘引される虫を捕獲又は駆除するための捕虫／殺虫部材８を備えている。捕虫／殺虫部材８は、粘着性を有する捕虫紙８ａと、この捕虫紙８ａを載置するためのポリプロピレン性の捕虫紙受け部材８ｂとを有しており、誘引光により引き寄せられた虫を捕虫紙８ａの粘着力により捕獲する。
【００２４】
なお、本実施形態の照明器具１は、壁面等に取り付けられて使用されるタイプのものであり、誘引光源保護カバー３には、照明器具１を壁面に固定するための木ネジ孔１１及びアンカーボルト長孔１２、器具内に電源線を引き込むための電源孔１３、並びに、安定器１４及び電子スタータ１５等が形成されている。
【００２５】
本実施形態の照明器具１よれば、上記第１の実施形態と同様の効果が得られる他、捕虫／殺虫部材８を備えるので、誘引光源２から出射された光により誘引された虫を、捕獲又は駆除することができる。
【００２６】
なお、本発明は上記各種実施形態の構成に限られることなく種々の変形が可能である。例えば、誘引光源２の形状は直管状でなくてもよい。また、捕虫／殺虫部材８は、接触した虫を高電圧で駆除する高電圧電極等であってもよい。
【図面の簡単な説明】
【００２７】
【図１】本発明の第１の実施形態に係る照明器具の斜視図。
【図２】虫のすう光曲線、同照明器具に用いられる誘引光源の発光スペクトル、及び、同照明器具に用いられるカバー部材の分光透過率を示す図。
【図３】（ａ）は図１におけるＡ−Ａ線断面図、（ｂ）は図１におけるＢ−Ｂ線断面図。
【図４】同照明器具のカバー固定部材付近の断面図。
【図５】（ａ）は本発明の第２の実施形態に係る照明器具の正面図、（ｂ）は同図のＣ−Ｃ線断面図。
【符号の説明】
【００２８】
１    照明器具
２    誘引光源
３    誘引光源保護カバー
４    カバー部材
５    カバー固定部材
５ａ  ランプ嵌合部
５ｂ  カバー部材嵌合部
６    光源収納部
８    捕虫／殺虫部材
８ａ  捕虫紙
８ｂ  捕虫紙受け部材
【図１】
2006204203.tif 000003
【図２】
2006204203.tif 000004
【図３】
2006204203.tif 000005
【図４】
2006204203.tif 000006
【図５】
2006204203.tif 000007